(57)【特許請求の範囲】
【請求項１】
コンパクトディスク装置で再生記録可能な非円形型の光情報媒体において、一端側が１２ｃｍトレー部と１箇所以上又は円弧で接し、他端側が８ｃｍトレー部と１箇所以上又は円弧で接する外形を有し、情報又は記録領域及び中心穴を、トレー上に置いたときに上記１２ｃｍトレー部及び８ｃｍトレー部と同心円になるよう配置してなることを特徴とする光情報媒体。
【請求項２】
請求項１の光情報媒体において、全体の偏重量を調整する層を設けてなることを特徴とする光情報媒体。
【請求項３】
請求項２の光情報媒体において、上記偏重量を調整する層が印刷により形成したものであることを特徴とする光情報媒体。
【請求項４】
請求項１の光記録媒体において、基板の厚さが、０．９ｍｍ以上、１．２ｍｍ以下であることを特徴とする光情報媒体。
【発明の詳細な説明】
【０００１】
【発明の属する技術分野】
本発明は、光情報媒体に関し、詳細にはＣＤ−ＲＯＭ、ＣＤ−Ｒ、ＣＤ−ＲＷの非円形型光情報媒体に関する。
【０００２】
【従来の技術及び発明が解決しようとする課題】
光情報媒体（以下ではメディアということもある。）は、ＣＤ（コンパクトディスク）に代表されるように広く普及している。また、近年追記型ＣＤ（ＣＤ−Ｒｅｃｏｒｄａｂｌｅ）、書き換え可能型ＣＤ（ＣＤ−Ｒｅｗｒｉｔａｂｌｅ）の開発が盛んに行われ、急激な勢いで広まっている。
【０００３】
これは、市販ライター及びメディアの低価格化や、市販ライターを用いてユーザーが好きなデータを多量に書き込むことができ、また、記録したメディアは、既に一般に広まっているＣＤプレーヤーで再生することが可能であるためである。
【０００４】
通常のＣＤは、ＣＤ規格が設定されている直径が１２ｃｍ、８ｃｍの円形ディスクが大半を占めているが、最近、非円形型メディアも、少数ながら製造販売されている。その多くは、長方形型のカード型メディアで、大きさとしては、財布などに入るように名刺やクレジットカードなどと同じ大きさになっている。
【０００５】
現在のＣＤ記録再生ドライブは、ほとんどが、トレータイプになっており、トレーは、１２ｃｍ、８ｃｍディスクが収まるように設計されている。これを図１に示す。図示のトレー１は、直径が１２ｃｍの１２ｃｍトレー部２と直径が８ｃｍの８ｃｍトレー部３とを、もちろん８ｃｍトレー部３が中心側で、かつ深い、同心円状に形成したものである。
【０００６】
したがって、従来の非円形メディアの場合、下記の２つの方法により上述のトレー１上に置かれるように設計されている。
（１）現行の１２ｃｍ又は８ｃｍディスクの一部（２個所以上）の外形を残してディスクのカットを行い、その残された部分で１２ｃｍトレー部２または８ｃｍトレー部３に収まるようにする。たとえば特開平４−４０５８６号公報に開示のカード型メディアは、ＣＤプレーヤーで再生可能なようにカードにＣＤの中心穴と同じ大きさの貫通穴を有する。あるいは特開平５−６６４０号公報に開示の光カードのように、カードの一部に光情報記録領域があり、その領域がカードの偏芯した位置に配置されており、その領域側は円弧形状を持っているものもある。但し、それらの場合、メディアの外形は、径が１２ｃｍまたは８ｃｍの円に２個所以上で接する形に限定される。そのため、ユーザーの望むような形状には形成できない。例えば、名刺やクレジットカード（８４×５４ｍｍ）などの大きさには適用できない。
（２）実用新案登録第３０６４４１４号、同第３０７１１５７号で開示されているような、８ｃｍトレーに引っかかるように、媒体の光入射面側にガイド突部（円弧状、ピン状など）を設けたり、段差を付ける方法である。直径８ｃｍ以降の外周部の板厚は薄くする。但し、この場合、製造工程が難しく、ガイド突部や外周部の基板厚が薄くなった部分が壊れたりすることがあり、耐久性・信頼性に問題がある。
【０００７】
いずれにしても、生産性の面では、上記（２）の方法の場合、ガイド突部や段差を付けるには、基板成形を行う金型の改造やメディア作成後（フラットメディア）に旋盤で削る方法、プレス機によりピン突部を形成する方法等を取る必要がある。特に、金型の改造の場合、大幅な改造が必要で、専用の金型にする必要があり、また、金型のメンテナンスも困難になる。
【０００８】
そこで本発明は、クレジットカード、名刺と同じ大きさで、耐久性、信頼性が高く、低コストで製造できるメディアを提供することを目的とする。
【０００９】
【課題を解決するための手段】
本発明の請求項１に係る光情報媒体は、上記目的を達成するために、コンパクトディスク装置で再生記録可能な非円形型の光情報媒体において、一端側が１２ｃｍトレー部と１箇所以上又は円弧で接し、他端側が８ｃｍトレー部と１箇所以上又は円弧で接する外形を有し、情報又は記録領域及び中心穴を、トレー上に置いたときに上記１２ｃｍトレー部及び８ｃｍトレー部と同心円になるよう配置してなることを特徴とする。
【００１０】
同請求項２に係るものは、上記目的を達成するために、請求項１の光情報媒体において、全体の偏重量を調整する層を設けてなることを特徴とする。
【００１１】
同請求項３に係るものは、上記目的を達成するために、請求項２の光情報媒体において、上記偏重量を調整する層が印刷により形成したものであることを特徴とする。
【００１２】
同請求項４に係るものは、上記目的を達成するために、請求項１の光記録媒体において、基板の厚さが、０．９ｍｍ以上、１．２ｍｍ以下であることを特徴とする。
【００１３】
【発明の実施の形態及び実施例】
以下本発明の実施の形態及び実施例を図面を参照して説明する。なお以下では従来と共通する部分には共通する符号を付すにとどめ重複する説明は省略する。
【００１４】
図１は本発明に係る光情報媒体の一実施形態を示す平面図である。図示のメディア１０はカード状のもので、トレーに載せた時に、一端縁側の二つの角部が１２ｃｍトレー部２を形成する窪みに接し、また他端縁側の角部が８ｃｍトレー部３を形成する窪みに接することで、メディア１０をトレーに固定する外形を有する。またトレーに載せた時に、トレーの１２ｃｍトレー部２と８ｃｍトレー部３の窪みと同心円になるように、情報記録領域１１及び中心穴１２が設けてある。
【００１５】
したがってこのメディア１０は、８ｃｍ、１２ｃｍの窪みを有するトレーを持つＣＤドライブで記録再生することができる。またトレーの窪みに接するので、メディア１０に突部や段差を付けたりする必要もない。また、メディア１０のサイズに関しては、名刺、キャッシュカードサイズの大きさに設定することが可能となる。なお８ｃｍトレー部３のみに接する長方形型メディアでは名刺サイズに比べて小さくなってしまい、１２ｃｍトレー部２のみに接する長方形型メディアでは、大きくなり過ぎてしまう。
【００１６】
本実施形態のメディア１０を長方形型にした場合には、図３に示すように縦の長さをＸ（ｍｍ）、横の長さをＹ（ｍｍ）とした場合、ＸとＹの関係は下記式のように表される。
Ｙ ＝ ｛（１２０／２）2−（Ｘ／２）2｝0.5 ＋ ｛（８０／２）2−（Ｘ／２）2｝0.5
メディア１０の横の長さを５４ｍｍとした場合には、上記式から導出される縦の長さＹは ８３．１ｍｍとなる。また縦の長さＸを５７．５ｍｍとした場合はＹ＝８０．５ｍｍとなる。実際には、媒体をトレーに収めるには、上式で示される値より小さくする必要がある。但し、図４に示すように、四つの角を丸くすることで、メディア１０のサイズを実質的に大きくすることができ、その角の丸の大きさでメディア１０のサイズを調整することもできる。
【００１７】
なお一般に、キャッシュカードの大きさは５４×８６ｍｍ、名刺は５５×９１ｍｍ、テレフォンカードや定期券は５７．５×８５．５ｍｍの長方形サイズになっている。これら３つのサイズに対して角の丸の大きさを調整することで対応可能である。
【００１８】
図５（Ａ）〜（Ｃ）は種々の異なる形状のメディアの例を示す平面図である。（Ａ）は５角形のいわゆるベース形状を有し、（Ｂ）は半円形と矩形を組み合わせた形状、（Ｃ）は矩形と凹字形状を組み合わせた形状を有するが、いずれも一端縁側が１２ｃｍトレー部２を形成する窪みに接し、また他端縁側が８ｃｍトレー部３を形成する窪みに点または円弧で接する。もちろん１２ｃｍトレー部２に対して点または円弧で接し、８ｃｍトレー部３に対しては点で接するように構成することもできる。
【００１９】
なお図２、３、４、５（Ｂ）の形状では、偏重量が一方に、すなわち１２ｃｍトレー部２との接触側に偏っている。このため、高速で回転した場合に、ドライブのモータに多大な負担が掛かってしまう。特に近年、ＣＤドライブの記録再生の高速化が進んでおり、媒体の偏重量に対して、ドライブは影響を受けやすくなっている。偏重量が大きすぎる媒体では、ＣＤドライブで記録再生出来ないこともある。
【００２０】
そこで、図５（Ｃ）や図６（Ａ）、（Ｂ）のように１２ｃｍトレー部２との接触側に切り欠き部１３を設けることで、１２ｃｍトレー部２との接触側の重さを低減させ、偏重量の改善を行なう。最終的には、切り欠き部１３の上に軽い紙１４等を図６に点線で示すように貼り付ける等することで、偏重量を大きく悪化させることなく名刺型のメディアを提供できる。
【００２１】
偏重量を改善する方法としては、他にメディア上に偏重量の偏った層を設けることで、メディア全体での偏重量を低減する方法が挙げられる。メディアに偏重量を持たせた層の形成の方法としては、印刷による方法が容易である。ＵＶ硬化する印刷インクに金属物（亜鉛、鉛、鉄など）を混入させて、スクリーン印刷で８ｃｍトレー接触部分にのみ印刷インクを付着させて、ＵＶにて硬化させるとよい。金属物を混入させる目的は、印刷層に重さを持たせるためである。また基板の厚さを全体に薄くすることで、偏重量の低減がさらに容易に可能になる。但し、基板厚があまり薄くなると、ＣＤドライブとの互換性が悪くなるので（ＣＤ規格では媒体の厚さの規格は、１．１〜１．５ｍｍ）、厚さとしては１．１〜１．２ｍｍが望ましいが、本願発明者等が実験したところでは０．９ｍｍでもＣＤドライブに記録・再生は可能であった。
【００２２】
もちろん上述の本発明の実施形態は、ＣＤ−ＲＯＭ、ＣＤ−Ｒ、ＣＤ−ＲＷの非円形型情報媒体にも適用できた。またその他、長方形以外にも、様々な形、大きさの媒体を生産することが可能である。
【００２３】
【実施例】
本発明の実施例として、ＣＤ−Ｒに対して、サンプルを作成して効果確認を行なった。ＣＤドライブでの記録再生は、株式会社リコー製 の型式ＭＰ７０８０Ａというドライブを用いて、記録は４倍速、再生は３２倍速で行い、記録再生確認を行った。媒体の記録領域は、線速度：１．２ｍ／秒、トラックピッチ：１．５μｍ、記録可能領域：直径５３．５ｍｍ、ディスク容量：１３ＭＢ（１分３０秒）で作成した。中心穴は直径１５ｍｍで、層構成は、案内溝を刻んだポリカーボネート基板の上にスピンコート法で記録層（フタロシアニン系色素）を形成させて、その上に、銀反射膜をスパッタ形成して、更に、ＵＶ硬化樹脂をスピンコート法で形成して、ＵＶ照射して保護層を形成した。
【００２４】
本発明の実施例に係るメディア１０として、下記の５種類のサンプルを作成した。
（１）キャッシュカードサイズの長方形型ＣＤ−Ｒ（図７（Ａ））で板厚は１．２ｍｍとした。
（２）１２ｃｍトレー接触部分を図７（Ｂ）のようにカットして紙１４を貼り付けた。板厚は１．２ｍｍとした。
（３）１２ｃｍトレー接触部分を図７（Ｃ）のようにカットして紙１４を貼り付けた。板厚は１．２ｍｍとした。
（４）上記サンプル２の形状、構成で、板厚０．９ｍｍとした。
（５）上記サンプル２のメディアに、３．５ｇの印刷層１５を図７（Ｄ）で示される部分に印刷を施した後、重さ０．７ｇの紙１４を貼りつけた。板厚は１．２ｍｍとした。
【００２５】
上記５種のメディアに対して、株式会社リコー製 のＣＤ−Ｒ／ＲＷライターで記録再生テストを行った。メディアへの情報記録は、４倍速で行った。上記５種類のサンプルをドライブに挿入して認識できることを確認した後、情報を記録した。再生テストとしては、記録した情報をハードディスクにコピーできるかどうかの確認を行った。
【００２６】
上記５種類のサンプルとも、ドライブに認識され、記録も正常に終了することができた。再生テストでは、サンプル１でコピーに時間はかかったが、全てのサンプルで再生可能であった。図８に偏重量測定結果を示す。同図中○は正常終了、△は再生は出来たがリード遅れ発生を示す。この結果からわかるように上記メディアはすべてＣＤドライブで記録再生可能なことを確認できた。
【００２７】
【発明の効果】
請求項１に係る光情報媒体は、以上説明してきたように、従来の非円形型ＣＤより様々な形で低コスト、耐久性、信頼性に優れた媒体の提供を可能とし、特に市場で要望のあるクレジットカード、名刺サイズのものに適用できるという効果がある。
【００２８】
請求項２に係る光情報媒体は、上記共通の効果に加え、８ｃｍのトレー接触側に重さの偏った層を媒体上に形成することで、媒体全体の偏重量を改善できるという効果がある。
【００２９】
請求項３に係る光情報媒体は、上記共通の効果に加え、印刷によって偏重量の改善を容易に行なうことができるという効果がある。
【００３０】
請求項４に係る光情報媒体は、上記共通の効果に加え、基板の板厚を薄くすることで、容易に偏重量を改善することができ、ドライブに与える負担も低減させ得るという効果がある。
【図面の簡単な説明】
【図１】通常のコンパクトディスクのトレーを示す平面図（Ａ）と断面図（Ｂ）である。
【図２】本発明に係る光情報媒体の一実施形態をコンパクトディスクのトレーに搭載した状態の平面図である。
【図３】本発明に係る光情報媒体の一実施形態の平面図である。
【図４】図３の光情報媒体の変形例の平面図である。
【図５】図３の光情報媒体の他の変形例の平面図である。
【図６】図３の光情報媒体のさらに他の変形例の平面図である。
【図７】本発明に係る光情報媒体の種々の実施例の平面図である。
【図８】本発明の実施例に係る光情報媒体の実験結果を示す図である。
【符号の説明】
２  １２ｃｍトレー部
３  ８ｃｍトレー部
１０  メディア
１１  情報記録領域
１２  中心穴
１３  切り欠き部
１４  紙
１５  印刷層
【図１】
0004202616.tif 000002
【図２】
0004202616.tif 000003
【図３】
0004202616.tif 000004
【図４】
0004202616.tif 000005
【図５】
0004202616.tif 000006
【図６】
0004202616.tif 000007
【図７】
0004202616.tif 000008
【図８】
0004202616.tif 000009